(57)【要約】【課題】ドアの開閉のために形成されたドアロックの取っ手を回転させてドアを開閉すると同時に、取っ手を押したり引くことによってもドアを開閉できるようにして容易に使用できるドアロックを提供する。【解決手段】内側・外側フランジと、スリーブと、内側・外側取っ手と、作動カムと、スプリングと、ホルダーとを備えるドアロックであって、作動カムは、作動カムのいずれか一側部に形成され、両側に所定の傾斜面が形成される作動溝を含み、回転ユニットは、回転操作時に傾斜面により作動し、回転ユニットは、直線移動による操作時に、作動溝の端部により作動するドアロックが提供される。【選択図】図１
2008510089.tif 000002
【特許請求の範囲】
【請求項１】
ドアを開閉できるようにドアの内側及び外側の所定の高さに付着される内側・外側フランジと、
前記内側・外側フランジを貫通して回転及び前後動作できるように前記ドアに埋設されるスリーブと、
前記スリーブの両端部に軸設される内側・外側取っ手と、
前記内側・外側取っ手を操作することによって回転及び直線移動するように前記スリーブに設置され、ホルダー内の回転ユニットを作動させる作動カムと、
前記作動カムに備えられ、前記作動カムが作動したときに前記作動カムを元の位置に復元させるスプリングと、
スプリングによりテンションを有し、前記作動カムの回転及び直線移動により一方向に回転するようにされた前記回転ユニット、作動ユニット及びロッカーを内蔵し、前記ロッカーをドア枠のロッカープレートに挿脱させるホルダーと、
を備え、
前記作動カムは、前記作動カムのいずれか一側部に形成され、両側に所定の傾斜面が形成される作動溝を含み、
前記回転ユニットは、回転操作時に前記傾斜面により作動し、
前記回転ユニットは、直線移動による操作時に、前記作動溝の端部により作動することを特徴とする、ドアロック。
【請求項２】
前記作動カムの端部に形成されるストップリングをさらに備えることを特徴とする、請求項１に記載のドアロック。
【請求項３】
前記ホルダーの外径は、先端直径が狭くなるテーパとして形成されることを特徴とする、請求項１に記載のドアロック。
【請求項４】
前記ホルダーには、ゴムパッキンがさらに取り付けられることを特徴とする、請求項１に記載のドアロック。
【発明の詳細な説明】
【技術分野】
【０００１】
本発明はドアを開閉する時に用いるドアロックに関し、より具体的には、ドアロックの取っ手を回転させるだけでなく、押したり引いたりして開閉することができ、容易に使用できるドアロックに関する。
【背景技術】
【０００２】
一般に家庭や事務室などでドア開閉用として用いられるドアロックは、ドアの内側及び外側に形成された取っ手を回転させて開閉するように構成されている。このようなドアロックで用いられる取っ手には、ドアを貫通するスリーブの両端に取り付けられた、把持が容易な円形状の部材、或いはＬ字形状の部材が主に使われている。
【０００３】
このような従来のドアロックは、ドアの適正な高さに管状のスリーブを貫通させて、その周縁部に各種のドアロック及び解除用部品が内蔵された本体を設置する。さらに、スリーブの両端とドアとの間に内側・外側フランジを固定させ、内側フランジと外側フランジとの間に突出されたスリーブの端部に開閉手段である取っ手を設置する。スライダーが含まれた固定装置（ｌｏｃｋｉｎｇ  ｄｅｖｉｃｅ、開閉装置）は、この取っ手の中に備えられている。
【０００４】
また、ドア内には、内側・外側取っ手と固定装置とによって作動する作動アームを備える。また、ドア枠には作動アームと連結されたロッカー（ｌｏｃｋｅｒ）が形成される。従って、取っ手の回転操作によって、作動アームと連結されたロッカーがドア枠に固定されたホルダーに挿入されたり、ホルダーから解放されたりして、ドアが開閉される。
【０００５】
しかし、このようなドアロックは、取っ手の回転操作によって開閉が行われるため、使用者の手に水や石鹸、あるいは油などのすべりやすい物質がついている場合には、取っ手を回転操作させるのが難しく、ドア開閉に不便であるという問題があった。特に、取っ手を回転操作ができない子供の場合には、ドアの開閉が非常に困難であった。
【０００６】
また、このようなドアロックは、取っ手の回転だけで開閉される構造であるため、開閉時に同一部品間の継続的な摩擦及び摩耗によって寿命が短縮される。また、部品数が過多であるために、製造コストの上昇と頻繁な故障とをもたらすという問題があった。さらに、ドアをロックしても刃やナイフ、キリ、針金などを利用してドアを開けることができるため、使用者に不安感を与え、ロック効果が減少する問題があった。
【発明の開示】
【発明が解決しようとする課題】
【０００７】
本発明は、上記の問題を解決するために、本出願人が大韓民国実用新案登録第２０-０２７５０７３号で登録を受けたドアロックを改良したもので、本発明の目的は、ドアの開閉のために形成されたドアロックの取っ手を回転させてドアを開閉することはもちろん、取っ手を押したり引くことでドアを開閉できるようして容易に使用できるドアロックを提供することである。
【課題を解決するための手段】
【０００８】
上記目的を達成するために、本発明は、ドアを開閉できるようにドアの内側及び外側の所定の高さに付着される内側・外側フランジと、内側・外側フランジを貫通して回転及び前後動作できるようにドアに埋設されるスリーブと、スリーブの両端部に軸設される内側・外側取っ手と、内側・外側取っ手を操作することによって回転及び直線移動するようにスリーブに設置され、ホルダー内の回転ユニットを作動させる作動カムと、作動カムに備えられ、作動カムが作動したときに作動カムを元の位置に復元させるスプリングと、スプリングによりテンションを有し、作動カムの回転及び直線移動により一方向に回転するようにされた回転ユニット、作動ユニット及びロッカーを内蔵し、ロッカーをドア枠のロッカープレートに挿脱させるホルダーと、を備えるドアロックが提供される。また、作動カムは、作動カムのいずれか一側部に形成され、両側に所定の傾斜面が形成される作動溝を含み、回転ユニットは、回転操作時に傾斜面により作動し、回転ユニットは、直線移動による操作時に、作動溝の端部により作動する。
【０００９】
好ましくは、作動カムの端部に形成されるストップリングをさらに備える。
【００１０】
好ましくは、ホルダーの外径は、先端直径が狭くなるテーパとして形成される。
【００１１】
好ましくは、ホルダーにはゴムパッキングがさらに取り付けられる。
【発明の効果】
【００１２】
本発明によると、ドアの開閉のために形成されたドアロックの取っ手を回転させて、ドアを開閉することはもちろん、取っ手を押したり引くことによってもドアを開閉できるようして容易に使用できる。また、部品間の摩耗及び摩擦が少なく、動作が軟らかくて騒音が発生しない長所がある。さらに、部品間の摩耗が少ないために破損を防止し、同時にドアロックの全体的な寿命を延長させる効果がある。
【発明を実施するための最良の形態】
【００１３】
上記目的を達成するために、本発明は、ドアを開閉できるようにドアの内側及び外側の所定の高さに付着される内側・外側フランジと、内側・外側フランジを貫通して回転及び前後動作できるようにドアに埋設されるスリーブと、スリーブの両端部に軸設される内側・外側取っ手と、内側・外側取っ手を操作することによって回転及び直線移動するようにスリーブに設置され、ホルダー内の回転ユニットを作動させる作動カムと、作動カムに備えられ、作動カムが作動したときに作動カムを元の位置に復元させるスプリングと、スプリングによりテンションを有し、作動カムの回転及び直線移動により一方向に回転するようにされた回転ユニット、作動ユニット及びロッカーを内蔵し、ロッカーをドア枠のロッカープレートに挿脱させるホルダーと、を備えるドアロックが提供される。また、作動カムは、作動カムのいずれか一側部に形成され、両側に所定の傾斜面が形成される作動溝を含み、回転ユニットは、回転操作時に傾斜面により作動し、回転ユニットは、直線移動による操作時に、作動溝の端部により作動する。
【００１４】
好ましくは、作動カムの端部に形成されるストップリングをさらに備える。
【００１５】
好ましくは、ホルダーの外径は、先端直径が狭くなるテーパとして形成される。
【００１６】
好ましくは、ホルダーにはゴムパッキングがさらに取り付けられる。
【００１７】
以下、本発明による実施形態について添付図を参照して、より詳細に説明する。
【００１８】
図１は本発明の一実施形態に係るドアロックを、押し開きドアに適用した状態を示す縦断面図である。図２は、図１の矢印Ｉ−Ｉ線に沿って切断した作動カムの断面図である。図３は、図２の左側面図であり、図４は、図２の背面図で、スプリングの取り付け状態を説明する図である。
【００１９】
また、図５は、本発明の一実施形態に係るドアロックを、引き開きドアに適用した状態を示す縦断面図である。図６は、図５の矢印ＩＩ−ＩＩ線に沿って切断した作動カムの断面図である。図７は、図６の左側面図であり、図８は図６の作動カムに結合されるストップリングの正面図である。図９は、図８の矢印Ａ−Ａ線に沿って切断した断面図であり、図１０は、図８の矢印Ｂ−Ｂ線に沿って切断した断面図であり、図１１は、図６の作動カムに図９のストップリングが結合された状態を示す断面図である。
【００２０】
そして、図１２は、本発明の一実施形態にかかるドアロックに適用されるホルダー体にゴムパッキンが取り付けられた状態を示した図であり、図１３は、図１２の矢印Ｃ-Ｃ線に沿って切断した断面図である。
【００２１】
図１〜図１３に示すように、本実施形態に係るドアロックは、円筒形のスリーブ１０を含む。スリーブ１０は、ドア１００と、ドア１００の内側及び外側に付着した内側・外側フランジ２０、２０'とを貫通し、回転及び前後動作ができるようにドア１００に埋設されている。スリーブ１０は、円筒形の筒で、回転及び前後動作が自由にできるように、ドア１００の適切な位置に貫通設置される。
【００２２】
本実施形態に係るドアロックは、内側・外側取っ手３０、３０'を含む。この内側・外側取っ手３０、３０'は、内側・外側フランジ２０、２０'の外側に突出されたスリーブ１０の両端部に軸設され、ドアを実質的に開閉する。このような内側・外側フランジ２０、２０'は、ドア１００の両側面に付着され、ドア１００を貫通するスリーブ１０を支持することによって、スリーブ１０が回転及び前後に動く時に移動することを防止する。また、内側・外側取っ手３０、３０'は、内側・外側フランジ２０、２０'の外部に突出されたスリーブ１０の端部に挟まれて固定され、スリーブ１０を回転及び前後動作させてドア１００を開閉するように操作される。
【００２３】
本実施形態に係るドアロックは、作動カム４０を含む。作動カム４０は、内側・外側フランジ２０、２０'の間のスリーブ１０に固定される。作動カム４０は、本発明の特徴的な部分である。作動カム４０は、内側・外側フランジ２０、２０'の間のスリーブ１０に挟まれて固定されることによって、スリーブ１０と一緒に動くように作動する。図２に示すように、作動カム４０のいずれか一側部に作動溝４２が設けられる。作動溝４２の両側には、所定の傾斜面４３が形成される。回転操作時には、傾斜面４３により回転ユニットが操作され、直線移動による操作時には、作動溝４２の端部により回転ユニットが操作される。
【００２４】
作動カム４０に形成される作動溝４２と傾斜面４３は、図１〜図４に示すように押し開きドアに適用される場合には、作動溝４２の両側面に形成される傾斜面４３が、開いた状態に形成され、図５〜図１０に示すように引き開きドアに適用される場合には、傾斜面４３は、押し開きドアに適用される作動カム４０に形成される傾斜面とは反対方向に形成される。図１１に示すように、ストップリング４４が、作動カム４０の端部にさらに結合される。
【００２５】
本実施形態に係るドアロックは、スプリング５０を含む。スプリング５０は、スリーブ１０により回転移動された作動カム４０を元の位置に復元させる。また、スプリング５０は、図４に示すように、作動カム４０の中に取り付けられ、スプリング５０の両端部は、フランジ２０の内側に固定された補助フランジ２１の中に取り付けられる。即ち、スプリング５０は、作動カム４０の作動溝４２と傾斜面４３が形成されたのと反対側の内周面に位置し、内側フランジ２０に固定された補助フランジ２１と接触するように設置される。これにより、スプリング５０は、作動カム４０の回転動作時に前記作動カム４０を元の位置に復元させる。
【００２６】
本実施形態に係るドアロックは、ホルダー６０を含む。ホルダー６０の内部には、作動カム４０と接触する回転ユニット６１、回転ユニット６１によりいずれか一方向に回転動作する作動ユニット６２及びロッカー６３が設けられる。回転ユニット６１、作動ユニット６２及びロッカー６３は、スプリングによりテンションを保ち、それにより、ロッカー６３をドア枠２００のロッカープレート２１０から挿脱させる。
【００２７】
また、スプリングは、作動ユニット６２本体の下部の端を常に押すように内側フランジ２０の上部中央の端に取り付けられる。従って、作動ユニット６２本体にはクリアランスが設けられ、これにより、作動ユニット６２はドアの厚みに関係なく滑らかに作動することができる。
【００２８】
このように構成されたホルダー６０は、ドア１００の端部にスリーブ１０と直交する方向に埋設される。作動ユニット６２は、圧縮スプリングと共にホルダー６０の内部に弾力的に設置される。ロッカー６３は、作動ユニット６２の先端部にテンションスプリングと一緒に回動できるように設置される。回転ユニット６１は、作動ユニット６２の後端部にテンションスプリングと一緒に回動できるように設置され、その先端がロッカー６３の突起と弾力的に接触し、後端はホルダー６０を貫通して作動カム４０の作動溝４２内に位置する。
【００２９】
作動ユニット６２は、ブラケット形状を有し、ホルダー６０の先端から２個の圧縮スプリングと一緒に弾力的に内蔵されて、長さ方向に自由に移動できる。また、ロッカー６３は、作動ユニット６２の先端部にテンションスプリングと回動できるようにヒンジで連結され、ヒンジの反対側には突起が形成される。そして、回転ユニット６１は、作動ユニット６２の後端部にテンションスプリングと一緒に回動できるように連結され、その先端がロッカー６３の突起と弾力的に接触し、後端はホルダー６０を貫通して作動カム４０の作動溝４２内に位置するように設置される。
【００３０】
このようなホルダー６０は、ドア１００の端部にスリーブ１０と直交する方向に埋設される。ホルダー６０の先端は、ドア枠２００のロッカープレート２１０と対向して取り付けられる。ホルダー６０は円筒形で、外径は、ドア１００の正確な位置に設置できるように、先端の直径が狭くなるテーパ形状で形成される（図１２参照）。即ち、ホルダー６０の先端の外径は狭く、後端が広くなるテーパ形状で形成されることによって、ドア１００に正確に取り付けることができる。
【００３１】
また、図１２に示すようにホルダー６０に内蔵される部品を保護するために、ゴムパッキン６５がさらにホルダー６０に取り付けられる。即ち、ゴムパッキング６５により作動部品（作動ユニット、ローターなど）の作動による摩耗を最小化して寿命を延長できる。ゴムパッキング６５には、黒鉛ゴムを用いることが望ましい。
【００３２】
本実施形態に係るドアロックは、平常時にホルダー６０内の作動ユニット６２がドア枠２００側に位置する。回転ユニット６１は、テンションスプリングの弾性力によりホルダー６０と平行に設置される。ここで、回転ユニット６１の先端がロッカー６３の突起を支持し、回転ユニットの後端は作動カム４０の作動溝４２の中央に位置する。このとき、ドア１００は完全に閉じられているか、あるいは、開いている状態である。
【００３３】
このような状態で使用者が内側・外側取っ手３０、３０'のうち、いずれか一方の取っ手を回転させると、取っ手と一緒にスリーブ１０が回転して、スリーブ１０の回転と同時に作動カム４０が回転する。
【００３４】
作動カム４０が回転すると、作動溝４２の両側面に形成された傾斜面４３が回転ユニット６１と接触しながら、傾斜面４３により回転ユニット６１の後端部が一側に移動する。この時、回転ユニット６１の先端は、ヒンジを中心に回動してロッカー６３の突起から離脱し、回転ユニット６１が離脱する瞬間ロッカー６３がヒンジを中心に回動し、ホルダー６０内に挿入される。従って、この時には、ロッカー６３がドア枠２００のロッカープレート２１０から離脱するため、ドア１００を開くことができる。また、ドア１００がロックされた状態で内側・外側取っ手３０、３０'のうち、いずれか一側の取っ手３０を押したり引いたりすると、即ち、図１に示すように押し開きドアは、押された場合、図５に示すように引き開きドアは引かれた場合に、スリーブ１０も同方向に移動して、これと一緒にスリーブ１０に固定された作動カム４０も移動する。従って、作動カム４０の移動と一緒に作動溝４２の内に形成されている回転ユニット６１の後端が作動溝４２にかかって一側に移動し、回転ユニット６１はヒンジを中心に回動して、その先端がロッカー６３の突起から離脱するので、前述したような動作でロッカー６３がロッカープレート２１０から離脱して容易にドアを開放できる。
【００３５】
動作中、取っ手を回転させたり押した状態で手を離せば、取っ手は、補助フランジ２１と作動カム４０との間に形成されたスプリング５０により元の位置に戻り、ロッカー６３は元の状態に戻る。
【００３６】
上述したように、使用者が内側・外側取っ手を回転させることによってスリーブが回転する。スリーブが回転すると、それに軸設された作動カムの作動溝内に位置する回転ユニットの一端が回動しながら、ロッカーの後端部と接触する。それに応じて、ドア枠に固定されたホルダーからロッカーが回動して挿脱され、ドアを開閉することができる。また、使用者が内側・外側取っ手を押したり引いたりすると、スリーブと一緒に作動カムが軸方向に移動する。これによって、作動カムの作動溝内に位置する回転ユニットの一端が回動しながら、ロッカーの後端部を支持したり、離脱したりする。これにより、ロッカーは、回動しながらホルダーから挿脱されてドアを開閉することができる。
【図面の簡単な説明】
【００３７】
【図１】本発明の一実施形態に係るドアロックを、押し開きドアに適用した状態を示す縦断面図である。
【図２】図１の矢印Ｉ−Ｉ線に沿って切断した作動カムの断面図である。
【図３】図２の左側面図である。
【図４】図２の背面図で、スプリングの取り付け状態を説明する図である。
【図５】本発明の一実施形態に係るドアロックを、引き開きドアに適用した状態を示す縦断面図である。
【図６】図５の矢印ＩＩ−ＩＩ線に沿って切断した作動カムの断面図である。
【図７】図６の左側面図である。
【図８】図６の作動カムに結合されるストップリングの正面図である。
【図９】図８の矢印Ａ−Ａ線に沿って切断した断面図である。
【図１０】図８の矢印Ｂ−Ｂ線に沿って切断した断面図である。
【図１１】図６の作動カムに図９のストップリングが結合された状態を示す断面図である。
【図１２】本発明の一実施形態にかかるドアロックに適用されるホルダー体にゴムパッキンが取り付けられた状態を示した図である。
【図１３】図１２の矢印Ｃ-Ｃ線に沿って切断した断面図である。
【符号の説明】
【００３８】
１０      スリーブ
２０、２０’      内側・外側フランジ
３０、３０’      内側・外側取っ手
４０      作動カム
４２      作動溝
４３      傾斜面
４４      ストップリング
５０      スプリング
６０      ホルダー
１００    ドア
【図１】
2008510089.tif 000003
【図２】
2008510089.tif 000004
【図３】
2008510089.tif 000005
【図４】
2008510089.tif 000006
【図５】
2008510089.tif 000007
【図６】
2008510089.tif 000008
【図７】
2008510089.tif 000009
【図８】
2008510089.tif 000010
【図９】
2008510089.tif 000011
【図１０】
2008510089.tif 000012
【図１１】
2008510089.tif 000013
【図１２】
2008510089.tif 000014
【図１３】
2008510089.tif 000015
【国際調査報告】
2008510089.tif 000016
2008510089.tif 000017